(57)【要約】【課題】環状部材を回動させて随時記号を隠したり、他人から記号列を視認され難くする指輪において、壊れづらい構造で、デザインに制限が無く、組み立てを容易にする指輪が求められてきた。【解決手段】外向き面と内向き面とを有する複数個の環状部材を同心状に備え、該複数個の環状部材は、最も外側に位置し周方向へ回動可能な第一環状部材と該第一環状部材の内側に位置する第二環状部材とを有し、少なくとも前記第一環状部材は前記第二環状部材の一部を露出する窓部を有していること、特に、前記第二環状部材の外向き面には記号もしくは記号の一部が設けられており、該記号もしくは記号の一部が前記窓部内に表示可能とされていること。【選択図】図１
2010125018.tif 000002
【特許請求の範囲】
【請求項１】
外向き面と内向き面とを有する複数個の環状部材を同心状に備え、
該複数個の環状部材は、最も外側に位置し周方向へ回動可能な第一環状部材と該第一環状部材の内側に位置する第二環状部材とを有し
少なくとも前記第一環状部材は前記第二環状部材の一部を露出する窓部を有していることを特徴とする指輪。
【請求項２】
前記第二環状部材の外向き面には記号もしくは記号の一部が設けられており、該記号もしくは記号の一部が前記窓部内に表示可能とされていることを特徴とする請求項１に記載の指輪。
【請求項３】
前記複数個の環状部材は、外向き面と内向き面の間に位置する側面が面一に配置されていることを特徴とする請求項１または２に記載の指輪。
【請求項４】
前記複数個の環状部材のうち、回動可能とされている環状部材を含む少なくとも２個の環状部材の側面にわたって連続的に設けられた記号もしくは記号列を有していることを特徴とする請求項１〜３のいずれかに記載の指輪。
【請求項５】
前記第一環状部材の内向き面に凹部、前記第二環状部材の外向き面に凸部を有し、前記第一環状部材と前記第二環状部材とが前記凹部と前記凸部とによって係合し得ることを特徴とする請求項１〜４のいずれかに記載の指輪。
【請求項６】
前記第一環状部材の内向き面に凸部、前記第二環状部材の外向き面に凹部を有し、前記第一環状部材と前記第二環状部材とが前記凸部と前記凹部とによって係合し得ることを特徴とする請求項１〜４のいずれかに記載の指輪。
【請求項７】
前記複数個の環状部材がそれぞれ異なる材料からなることを特徴とする請求項１〜６のいずれかに記載の指輪。
【発明の詳細な説明】
【技術分野】
【０００１】
本発明は外向き面に記号を有する指輪に関するものである。
【背景技術】
【０００２】
従来から指輪のデザインが多様化するに従い、指に対する負荷を防止するための構造として、多連のリングを蝶番結合した屈曲可能な指輪が提案されてきた（特許文献１参照）。
【０００３】
また指輪に可動性を持たせることで文字列を普段は見えないように開閉可能もしくは回転可能な一対のリングの合接面に形成するようなものも提案されている（特許文献２，３参照）。
【特許文献１】特開２０００−２１０１０９号公報
【特許文献２】特開２００６−２９６７４４号公報
【特許文献３】特開平９−１２１９１４号公報
【発明の開示】
【発明が解決しようとする課題】
【０００４】
特許文献１の発明においては、複数の同様の構造の環体が連結しているが、蝶番結合に細かい部品を使用しており壊れ易く、また蝶番結合させる関係上、デザインが制限されてしまうという問題点があった。
【０００５】
また、特許文献２の発明においても、開閉機構が壊れ易く、あるいは合接面がずれてしまうという問題があった。
【０００６】
また、特許文献３の発明においても、回転機構が壊れ易く、あるいは合接面がずれてしまうという問題があった。
【０００７】
このように、環状部材を回動させて随時記号を隠したり、他人から記号もしくは記号列（文字及び文字列）を視認され難くする指輪において、壊れづらい構造で、デザインに制限が無く、組み立てを容易にする指輪が求められてきた。
【課題を解決するための手段】
【０００８】
上記に鑑みて本発明の指輪は、外向き面と内向き面とを有する複数個の環状部材を同心状に備え、該複数個の環状部材は、最も外側に位置し周方向へ回動可能な第一環状部材と該第一環状部材の内側に位置する第二環状部材とを有し、少なくとも前記第一環状部材は前記第二環状部材の一部を露出する窓部を有していることを特徴とする。
【０００９】
さらに、前記第二環状部材の外向き面には記号もしくは記号の一部が設けられており、該記号もしくは記号の一部が前記窓部内に表示可能とされていることを特徴とする。
【００１０】
さらに、前記複数個の環状部材は、外向き面と内向き面の間に位置する側面が面一に配置されていることを特徴とする。
【００１１】
さらに、前記複数個の環状部材のうち、回動可能とされている環状部材を含む少なくとも２個の環状部材の側面にわたって連続的に設けられた記号もしくは記号列を有していることを特徴とする。
【００１２】
さらに、前記第一環状部材の内向き面に凹部、前記第二環状部材の外向き面に凸部を有し、前記第一環状部材と前記第二環状部材とが前記凹部と前記凸部とによって係合し得ることを特徴とする。
【００１３】
さらに、前記第一環状部材の内向き面に凸部、前記第二環状部材の外向き面に凹部を有し、前記第一環状部材と前記第二環状部材とが前記凸部と前記凹部とによって係合し得ることを特徴とする。
【００１４】
さらに、前記複数個の環状部材がそれぞれ異なる材料からなることを特徴とする。
【発明の効果】
【００１５】
本発明によれば、外向き面と内向き面とを有する複数個の環状部材を同心状に備え、該複数個の環状部材は、最も外側に位置し周方向へ回動可能な第一環状部材と該第一環状部材の内側に位置する第二環状部材とを有し、少なくとも前記第一環状部材は前記第二環状部材の一部を露出する窓部を有していること、特に、前記第二環状部材の外向き面には記号もしくは記号の一部が設けられており、該記号もしくは記号の一部が前記窓部内に表示可能とされていることにより、随時記号もしくは記号列（文字及び文字列）を隠したり、他人から視認され難くしつつ、壊れづらい構造で、デザインに制限が無く、組み立てが容易な指輪を提供することができる。
【発明を実施するための最良の形態】
【００１６】
以下、本発明の指輪の一実施形態について、以下図１〜図１０をそれぞれ用いて説明をする。
【００１７】
本発明の一実施形態は、外向き面と内向き面とを有する複数個の環状部材を同心状に備え、該複数個の環状部材は、最も外側に位置し周方向へ回動可能な第一環状部材と該第一環状部材の内側に位置する第二環状部材とを有し、少なくとも前記第一環状部材は前記第二環状部材の一部を露出する窓部を有しているものである。これにより、外向き面４上の記号もしくは記号列２を随時に隠すことが容易になる。
【００１８】
図１は本発明の指輪の一実施形態の分解斜視図で、各環状部材７，８，９は同心状に組み合わせることができるように、相互の外径と内径が設計されたものである。
【００１９】
図２は本発明の指輪の一実施形態の第１パターンで、側面６方向から見た断面図であり、例えば、第一窓部３ａ、第二窓部３ｂを合わせた状態である。
【００２０】
図３は本発明の指輪の一実施形態の第２パターンで、側面６方向から見た断面図であり、例えば、第一窓部３ａ、第二窓部３ｂを回動させてずらした状態である。
【００２１】
第１パターンである図２における第一環状部材７を９０度回動したものが、第２パターンである図３の指輪１になる。図２は一例であるが、このようなときに外向き面４上の記号もしくは記号列（文字及び文字列）２を窓部３を通して表示することができ、図３は一例であるが、このようなときに外向き面４上の記号もしくは記号列（文字及び文字列）２を隠すことができる。
【００２２】
なお、ここで記号とは、一つの記号（文字）であってもよいし、複数の記号が組み合わさった記号列（文字列）であってもよい。
【００２３】
また、図１において、それぞれ外向き面４、内向き面５、側面６を有しているが、本発明において側面６は必須ではない。
【００２４】
また、図１において、窓部３は外向き面４から内向き面４に亘り貫通している窓であるが、ここでは不図示としている。
【００２５】
また、図１において、各環状部材７，８，９としているが、各環状部材の個数には上限はなく、適時デザインに合わせて最適な個数にすればよい。
【００２６】
また、窓部は第一環状部材だけでなく、第二環状部材にも適時設けることで、第一環状部材と同様の機能を持たせることができる。
【００２７】
さらに本発明の一実施形態は、前記第二環状部材の外向き面には記号もしくは記号の一部が設けられており、該記号もしくは記号の一部が前記窓部内に表示可能とされていることにより、記号もしくは記号列の全体を表示可能としたものである。これにより、各環状部材７，８，９をずらしておけば指輪１を外して放置しても、他人から記号もしくは記号列（文字及び文字列）２を視認され難くすることができる。
【００２８】
図４は本発明の指輪の一実施形態の外向き面４側における一部を拡大した分解説明図で、（ａ）は第一環状部材７に形成された第一窓部３ａ、（ｂ）は第二環状部材８に形成された第二窓部３ｂと記号の一部分、（ｃ）は第三環状部材９に形成された記号２の一部分を示している。
【００２９】
図５は本発明の指輪の一実施形態の外向き面４側における拡大説明図で、図４（ａ）、（ｂ）、（ｃ）を組み立てると完成された記号（文字）２となることを示している。
【００３０】
図６は本発明の指輪の他の実施形態の外向き面側における一部を拡大した分解説明図で、（ａ）は第一環状部材７に形成された第一窓部３ａ、（ｂ）は第二環状部材８に形成された第二窓部３ｂと記号列２の一部、（ｃ）は第三環状部材９に形成された記号列２の一部である。
【００３１】
図７は本発明の指輪の他の実施形態の外向き面４側における拡大説明図で、図４（ａ）、（ｂ）、（ｃ）を組み立てると完成された記号列（文字列）２となることを示している。
【００３２】
なお、第一窓部３ａ、第二窓部３ｂの近傍の外向き面４上に記号もしくは記号列（文字及び文字列）２の一部を形成させておくことも可能である。
【００３３】
また、第一窓部３ａ、第二窓部３ｂの位置関係や大小関係は記号を表示可能であれば特に規定はしない。
【００３４】
また記号もしくは記号列（文字及び文字列）２自体が貫通した孔（透かし彫り）であってもよく、その場合は例えば、図４及び５のように彫金することになる。
【００３５】
さらに本発明の他の実施形態は、前記複数個の環状部材は、外向き面と内向き面の間に側面が面一に配置されているものである。これにより、少なくとも２個の各環状部材７，８，９の側面６にわたって連続的に設けられた記号もしくは記号列（文字及び文字列）２を有することを可能にする。
【００３６】
さらに本発明の他の実施形態は、前記複数個の環状部材のうち、回動可能とされている環状部材を含む少なくとも２個の環状部材の側面にわたって連続的に設けられた記号もしくは記号列を有しているものである。これにより外向き面４側の記号もしくは記号列（文字及び文字列）２とは独立して、側面６においても記号もしくは記号列（文字及び文字列）２を隠すことが出来る。ここで連続的とは、一連の記号（文字）２をなすという意味であり、記号（文字）２同士が環状部材間の隙間で離れていても連続であるものとし、記号（文字）２がドット印字のように、点々状の記号（文字）２であったとしても連続であるものとする。そしてまた、一連の記号列（文字列）２をなすという意味であり、記号（文字）２の間が離れていても、連続であるものとする。
【００３７】
また、側面６にわたって連続的に設けられた記号もしくは記号列（文字及び文字列）２を目印として、外向き面における記号もしくは記号列（文字及び文字列）２を合わせ易くすることもできる。
【００３８】
図８は本発明の指輪の他の実施形態の第１パターンで、記号もしくは記号列（文字及び文字列）２が揃った状態を示す側面図である。
【００３９】
図９は本発明の指輪の他の実施形態の第２パターンで、記号もしくは記号列（文字及び文字列）２をずらした状態を示す側面図である。
【００４０】
第１パターンである図８における環状部材９を９０度回動したものが、第２パターンである図９の指輪１になる。
【００４１】
さらに、本発明の一実施形態は、前記第一環状部材の内向き面に凹部、前記第二環状部材の外向き面に凸部を有し、前記第一環状部材と前記第二環状部材とが前記凹部と前記凸部とによって係合し得るものである。
【００４２】
また、本発明の他の実施形態は、前記第一環状部材の内向き面に凸部、前記第二環状部材の外向き面に凹部を有し、前記第一環状部材と前記第二環状部材とが前記凸部と前記凹部とによって係合し得るものである。
【００４３】
図１０（ａ）は本発明の指輪の一実施形態、図１０（ｂ）は本発明の指輪の他の実施形態を示す断面模式図であるが、凸部１０、凹部１１は外向き面４、内向き面５のどちらであっても構わない。これによって、前記第一環状部材７と第二環状部材８と第三環状部材９とが、それぞれ脱着自在となり、例えば、第一環状部材７を銀、第二環状部材８をプラチナ、第三環状部材９を金にするなどして、組み合わせを変えてコントラストを楽しむことも容易になる。
【００４４】
なお、各環状部材の係合する摩擦を調整することにより、回動後の固定を安定化させ易いが、固定の方法は係合以外の方法でもよい。例えば、各環状部材に磁石を仕込んでおいて、相互を磁力で固定することも可能である。
【００４５】
さらに、前記複数個の環状部材がそれぞれ異なる材料からなる場合、相互の環状部材が電食によって腐食しないように、材料の組み合わせ順を選択することが容易になる。このように構造を簡略にし、また、貴金属自体を部品とすることで、回動可能であって、微小な部品のない壊れづらい指輪１とすることが可能となり、量産性にも非常に優れたものとなる。
【００４６】
つぎに本発明の指輪の製造方法の各実施形態について説明する。
【００４７】
指輪１の材質としては、例えば、プラチナ（Ｐｔ９５０）、１８金×３種類（ホワイトゴールド／イエローゴールド／ピンクゴールド）などが主流であるが、他に鏡面が出せる材質ならば可能である。
【００４８】
そして、鍛造で叩かれて板状となったものを指輪１よりやや大きい大きさと形状に打ち抜き、プレス・切削加工によって製品形状に加工する。
【００４９】
あるいは、原型をゴム型抜きし、ゴム型にワックスを注入、原型と同形状になったワックスを取り出して、石膏で型取り、ワックスを熱で溶融・気化させて除去し、石膏型に溶融した地金（金・プラチナなど）を流し込んで冷却して原型と同形状の製品を形成することも可能である。
【００５０】
あるいは、第一環状部材７は真空プラズマ焼結などの金型で作製しても良いが、安価な材料であればダイス引き抜き加工後、肉厚部３ａと切欠部３ｂとを切削加工で作製してもよい。第二環状部材８、第三環状部材９も同様の方法で作製可能であり、各環状部材７，８，９の外径及び内径の関係は、同心円状に配置可能であればよい。
【００５１】
窓部３の加工方法の主な例には、切削加工とレーザー加工がある。
【００５２】
切削加工については、回転工具を使用して記号形状に切削彫刻するやり方であり、ＮＣ加工で所定形状のプログラムを入力して切削加工すればよい。管理条件としては、工具材質は超硬合金、単結晶ダイヤモンド、焼結ダイヤモンド、立方晶窒化ホウ素、アルミナ（コランダム）、窒化ケイ素、鋼(はがね)、サーメットなどを用いる。切削工具はドリル刃であり工具回転数１００〜４００００ｒｐｍ、送り速度０．１〜１０００ｍｍ／ｓｅｃ、切り込み深さ０．０１〜１００ｍｍで設定されるのが適当である。
【００５３】
レーザー加工については、レーザーを照射して所定の形状に溶融加工するやり方であり、切削加工同様に所定形状のプログラムを入力してレーザー加工すればよい。管理条件としては、溶融加工を行うレーザー発振子を電圧（パワー密度）１ｍＶ〜１００ｍＶ、パルス幅１ｆｓｅｃ〜１ｓｅｃ、パルス間隔０．００１Ｈｚ〜１００ＭＨｚに設定する。特に線の太さについてはレーザーであれば制御が容易である。  
【００５４】
鏡面加工は、電解研磨あるいはバレル研磨を施してからバフ研磨を行い仕上げとし、さらには、メッキ処理でより一層の鏡面が実現し易くなる。
【００５５】
電解研磨の条件としては、液温５℃〜１５０℃、電圧１００〜２００Ｖ、電流１〜１０Ａ、処理時間は１０秒間〜３時間で設定される。
【００５６】
バレル研磨の条件（遠心／磁気のいずれか）としては、メディア材質はアルミナ、メディアの平均直径は０．３〜１μｍ、バレル方式（湿式／乾式のいずれか）、自転回転数は１〜１０ｒｐｍ、公転回転数は１〜１０ｒｐｍ、処理時間は１０秒〜３時間で設定される。
【００５７】
そして仕上げのバフ研磨の条件としては、バフ材質を天然繊維（木綿・麻・リンネル・羊毛・絹・カシミヤ・石綿・ガラス繊維など）、化学繊維（ポリエステル系合成繊維・ポリアミド系合成繊維・セルロース系半合成繊維・タンパク質系半合成繊維・セルロース系再生繊維・ガラス繊維・炭素繊維など）とし、バフ回転体の回転数を１０００〜４００００ｒｐｍ、研磨材にはダイヤモンド・立方晶窒化ホウ素・炭化ケイ素・アルミナコランダム・酸化クロム・酸化セリウム・酸化鉄・珪質石灰石などが用いられる。
【００５８】
つぎに指輪１に記号もしくは記号列（文字及び文字列）２を形成する方法について、切削加工やレーザー加工さらにはメッキ加工が適当であることを説明する。
【００５９】
切削加工やレーザー加工については上記のとおりであるが、メッキ加工については、メッキ液はロジウム系・ルテニウム系・プラチナ系・金系・パラジウム系・銀系・銅系・ニッケル系など、電圧２００Ｖ、電流１Ａ、処理時間１秒間〜３時間で設定されるのが適当である。管理条件としては、メッキ厚は１μｍ〜数１０μｍ、メッキ材質はロジウムメッキ、マスキング方法は一般的にはマスキング樹脂を塗布してメッキしたものであり、特にマスキング部にノボラック樹脂を塗布して選択的にメッキを行うことが容易になる。このようにマスキングを使用してメッキすることで、記号２を形成することも容易になる。
【００６０】
以上のように本発明によれば、他人から記号もしくは記号列（文字及び文字列）を視認されづらく、また、デザインに制限がなく、壊れづらい構造である指輪を提供し易くなる。
【図面の簡単な説明】
【００６１】
【図１】本発明の指輪の一実施形態の分解斜視図である。
【図２】本発明の指輪の一実施形態の第１パターンの側面側から見た断面図である。
【図３】本発明の指輪の一実施形態の第２パターンの側面側から見た断面図である。
【図４】本発明の指輪の一実施形態の外向き面側における一部を拡大した分解説明図であり、（ａ）は第一環状部材の第一窓部、（ｂ）は第二環状部材の第二窓部と記号の一部、（ｃ）は第三環状部材の記号の一部を示すものである。
【図５】本発明の指輪の一実施形態の外向き面側における一部の拡大説明図であり、図４（ａ）、（ｂ）、（ｃ）を組み立てた図である。
【図６】本発明の指輪の他の実施形態の外向き面側における一部を拡大した分解説明図であり、（ａ）は第一環状部材の第一窓部、（ｂ）は第二環状部材の第二窓部と記号列の一部、（ｃ）は第三環状部材の記号列の一部を示すものである。
【図７】本発明の指輪の他の実施形態の外向き面側における拡大説明図であり、図４（ａ）、（ｂ）、（ｃ）を組み立てた図である。
【図８】本発明の指輪の他の実施形態の第１パターンの側面図である。
【図９】本発明の指輪の他の実施形態の第２パターンの側面図である。
【図１０】本発明の指輪の各実施形態の係合構造の断面模式図であり、（ａ）は内向きに凸、（ｂ）は外向きに凸な場合である。
【符号の説明】
【００６２】
１：指輪
２：記号および記号列（文字及び文字列）
３：窓部
３ａ：第一窓部
３ｂ：第二窓部
４：外向き面
５：内向き面
６：側面
７：（第一）環状部材
８：（第二）環状部材
９：（第三）環状部材
１０：凸部
１１：凹部
【図２】
2010125018.tif 000003
【図３】
2010125018.tif 000004
【図４】
2010125018.tif 000005
【図５】
2010125018.tif 000006
【図６】
2010125018.tif 000007
【図７】
2010125018.tif 000008
【図８】
2010125018.tif 000009
【図９】
2010125018.tif 000010
【図１０】
2010125018.tif 000011
【図１】
2010125018.tif 000012